【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
方法であって、
複数のプレゼンテーションタイルを有するプレゼンテーションサーフェスを設けるステップと、
コンテンツファイルをプレゼンテーションタイルに関連付けるためにコントロールディレクティブを受け取るステップと、
前記コンテンツファイルに対するコンテンツファイルタイプを識別するステップと、
前記コンテンツファイルタイプに基づき前記コンテンツファイルからコンテンツの一部分を取り出すステップと、
前記コンテンツ部分に基づきタイルオブジェクトを生成するステップと、
前記プレゼンテーションサーフェスおよび前記タイルオブジェクトを１つのモンタージュとして格納するステップと、
前記モンタージュまたは前記モンタージュへの参照をメッセージに入れて、送信者から受信者のコンテンツコンシューマーに送信するステップと
を含むことを特徴とする、方法。
【請求項２】
前記コンテンツファイルを前記プレゼンテーションタイルに関連付けるために、前記コントロールディレクティブを入力デバイスから受け取るステップを含むことを特徴とする、請求項１に記載の方法。
【請求項３】
ワードプロセッシングファイル、スプレッドシートファイル、プレゼンテーションファイル、個人情報マネージャーファイル、データベースファイル、パブリッシャーファイル、図画ファイル、ノートファイル、またはメッセージファイルを含むアプリケーションファイルタイプとして、前記コンテンツファイルに対する前記コンテンツファイルタイプを識別するステップを含むことを特徴とする、請求項１に記載の方法。
【請求項４】
前記コンテンツファイルタイプに対するタイプ定義に基づき、前記コンテンツファイルから前記コンテンツの一部分を取り出すステップを含み、前記コンテンツの一部分が、コンテンツおよびプロパティクラス、コンテンツオブジェクトクラス、またはコンテンツページクラスの情報を含むことを特徴とする、請求項１に記載の方法。
【請求項５】
前記モンタージュおよび前記コンテンツファイルをネットワークサービスにパブリッシュするステップを含むことを特徴とする、請求項１に記載の方法。
【請求項６】
ネットワークサービスから、リモートデータストアに格納されている前記モンタージュへの参照および前記コンテンツファイルへの参照を受け取るステップを含むことを特徴とする、請求項１に記載の方法。
【請求項７】
ネットワークサービスについてリモートデータストアに格納されている前記コンテンツファイルへの参照を、前記タイルオブジェクトに関連付けるステップを含むことを特徴とする、請求項１に記載の方法。
【請求項８】
前記モンタージュへの参照をネットワークサービス上にパブリッシュするステップを含むことを特徴とする、請求項１に記載の方法。
【請求項９】
前記モンタージュを開くためにコントロールディレクティブを受け取るステップと、
リモートデータソースから前記モンタージュを取り出すステップと、
前記タイルオブジェクトにより、前記プレゼンテーションサーフェスのユーザーインターフェイスビューを前記プレゼンテーションタイル内に提示するステップと
を含むことを特徴とする、請求項１に記載の方法。
【請求項１０】
前記タイルオブジェクトを選択するためにコントロールディレクティブを受け取るステップと、
リモートデータソースから前記タイルオブジェクトの前記コンテンツファイルを取り出すステップと、
前記コンテンツファイルのユーザーインターフェイスビューを提示するステップと
を含むことを特徴とする、請求項１記載の方法。
【請求項１１】
物品であって、実行されると、システムが、
複数のプレゼンテーションタイルを有するプレゼンテーションサーフェスを含むモンタージュを生成することであって、前記複数のプレゼンテーションタイルのそれぞれが、対応するコンテンツファイルに対するタイルオブジェクトを有すること、
前記モンタージュおよびコンテンツファイルをネットワークサービスに送ること、
前記モンタージュおよび各コンテンツファイルへの参照を受け取ること、
コンテンツファイルについての参照を、対応するタイルオブジェクトに関連付けること、
メッセージコンポーネントを用いて、前記モンタージュおよび前記モンタージュへの前記参照の内少なくとも１つにおける少なくとも一方を、メッセージに入れて、送信者から受信者のコンテンツコンシューマーに送信すること
を可能とする命令を含むコンピューター可読記憶媒体を備えることを特徴とする、物品。
【請求項１２】
実行されると、前記システムが、前記モンタージュへの参照を前記ネットワークサービスにパブリッシュすることを可能とする命令を更に含むことを特徴とする、請求項１１記載の物品。
【請求項１３】
装置であって、
複数のプレゼンテーションタイルを有するプレゼンテーションサーフェスを設け、コンテンツファイルをプレゼンテーションタイルに関連付けるためにコントロールディレクティブを受け取り、前記コンテンツファイルに対するコンテンツファイルタイプに基づき前記コンテンツファイルに対するタイルオブジェクトを生成し、前記プレゼンテーションサーフェスおよび前記タイルオブジェクトを１つのモンタージュとして格納し、ロジックデバイス上で実行するメッセージコンポーネントを用いて、前記モンタージュおよび前記モンタージュへの参照の内少なくとも１つにおける少なくとも一方を、メッセージに入れて、送信者から受信者のコンテンツコンシューマーに送信するように動作可能であるオーサリングコンポーネントを備えるモンタージュアプリケーションを実行するように配置構成された当該ロジックデバイス
を具備することを特徴とする、装置。
【請求項１４】
前記オーサリングコンポーネントは、それぞれのコンテンツファイルタイプに対応する複数のタイプモジュールを備え、１つのタイプモジュールは、コンテンツファイルタイプに対するタイプ定義に基づきコンテンツファイルから情報を取り出すと共に、前記取り出された情報および前記タイプ定義に基づきタイルオブジェクトを生成するように動作可能であることを特徴とする、請求項１３に記載の装置。
【請求項１５】
ネットワークサービスによるアクセスが可能なネットワークストレージデバイスに対してローカルデータストアからリモートデータストアへコンテンツファイルを伝達することを許可するために、コントロールディレクティブを受け取るように動作可能であるセキュリティコンポーネントを備えることを特徴とする、請求項１３に記載の装置。
【請求項１６】
ネットワークサービスによるアクセスが可能なネットワークストレージデバイスに対してローカルデータストアからリモートデータストアへ前記モンタージュおよびコンテンツファイルをパブリッシュするように動作可能であるパブリッシングコンポーネントを備えることを特徴とする、請求項１３に記載の装置。
【請求項１７】
それぞれのタイルオブジェクトを前記プレゼンテーションサーフェスについてそれぞれ関連付けられているプレゼンテーションタイル内に提示するために第１のユーザーインターフェイスビューを生成し、タイルオブジェクトを選択するためにコントロールディレクティブを受け取り、前記タイルオブジェクトに対応するコンテンツファイルを提示するために第２のユーザーインターフェイスビューを生成するように動作可能であるプレゼンテーションコンポーネントを備えることを特徴とする、請求項１３に記載の装置。